(57)【要約】【目的】新規な吹奏式ストリートオルガンを提供する。【構成】楽譜に応じた音穴が穿孔されているタイミングチャートを用いて、送風により音を発するオルガン部の発音をコントロールし音楽を演奏するストリートオルガンであって、呼気を吹き込む吹き込み口３１と排出する排気口３７との間に発音部を有しかつ排気口３７が音階にしたがって配列されているオルガン部２７を本体１１に設け、送り方向に時間軸を持ち幅方向に音階を持つタイミングチャート４１をオルガン部２７の排気口３７に配置し、その音穴４２によって排気口３７を開閉することにより目的の発音部を発音させるために、タイミングチャート送り手段を本体１１に設けたことを特徴とする。【選択図】        図７
2004191420.tif 000002
【特許請求の範囲】
【請求項１】
楽譜に応じて音穴が穿孔されているタイミングチャートを用いて、送風により音を発するオルガン部の発音をコントロールし、音楽を演奏するストリートオルガンであって、呼気を吹き込む吹き込み口と排出する排気口との間に発音部を有しかつ排気口が音階にしたがって配列されているオルガン部を本体に設け、送り方向に時間軸を持ち幅方向には音階を持つタイミングチャートをオルガン部の排気口に配置し、その音穴によって排気口を開閉することにより目的の発音部を発音させるために、タイミングチャート送り手段を本体に設けて構成された吹奏式ストリートオルガン。
【請求項２】
排気口はオルガン部の端部に位置し、その端部の排気口よりも相対的に後退した位置からタイミングチャートを供給することによって、排気口に対する張力による摺接圧力が得られるように構成された請求項１記載の吹奏式ストリートオルガン。
【請求項３】
タイミングチャートとして、普通紙に、電子複写等の簡易印刷手段で音穴の位置を複写し、音穴を穿孔したものを使用することができる請求項１又は２記載の吹奏式ストリートオルガン。
【請求項４】
タイミングチャートを巻き付けた巻きロールと、タイミングチャートを巻き取る巻き取りロールとを有し、巻きロールから巻き取りロールへ送られるタイミングチャートの移動経路にオルガン部の排気口が配置されている請求項１ないし３のいずれかに記載の吹奏式ストリートオルガン。
【請求項５】
巻きロールと巻き取りロールは手回し式のハンドルによって手動操作される請求項４記載の吹奏式ストリートオルガン。
【発明の詳細な説明】
【０００１】
【発明の属する技術分野】
本発明は、楽譜に応じて音穴が穿孔されているタイミングチャートを用いて、送風により音を発するオルガン部の発音をコントロールし、音楽を演奏するストリートオルガンに関するものである。
【０００２】
【従来の技術】
ストリートオルガン自体は主としてヨーロッパにおいて街頭や遊園地などで客引き等の目的で使用されてきた周知のもので、その起源は１６世紀までさかのぼると言われている。その基本的な構造はパイプオルガンを小型化かつ簡略化したものと言って良く、送風にはふいごを用い、音階のコントロールには穿孔チャート類を用いる。そのため、ふいごを動かす動力と穿孔チャートなどを送る動力が必要であり、足と手で操作しなけらばならなかった。
【０００３】
またストリートオルガンはオルガン特有の音調を持ち、街頭などで奏することができるものであるが、殆ど無動力の時代に発達を遂げたものであるために、機構的に精緻を極め、非常に高価である。現在市販されているものも従来構造の延長上にあり、従って現在のストリートオルガンは誰でも手軽に楽しむことができるものではなく、次第に特殊化しつつあると言って良い。
【０００４】
【発明が解決しようとする課題】
本発明は前記の点に着目してなされたもので、その課題は、必要な動力の一部を呼気が負担する等、新規なアイディアを盛り込んだ吹奏式ストリートオルガンを提供することである。また本発明の他の課題は、手持ち演奏が可能な、古くて新しい吹奏式ストリートオルガンを提供することである。
【０００５】
【課題を解決するための手段】
前記の課題を解決するため本発明は呼気を吹き込む吹き込み口と排出する排気口との間に発音部を有しかつ排気口が音階にしたがって配列されているオルガン部を本体に設けるとともに、送り方向に時間軸を持ち幅方向には音階を持つタイミングチャートをオルガン部の排気口に配置し、その音穴によって排気口を開閉することにより目的の発音部を発音させるために、タイミングチャート送り手段を本体に設けるという手段を講じたものである。
【０００６】
このストリートオルガンは、音穴が穿孔されているタイミングチャートを用いて、オルガン部の発音をコントロールする点では従来のものと類似しているように見える。しかし、従来のストリートオルガンに用いたタイミングチャートが、その穿孔位置によってオルガン部の弁機構を開閉し発音をコントロールするものであったのに対して、本発明のストリートオルガンは、オルガン部の排気口を、タイミングチャートによって直接開閉するという特徴を持っている。そのため、排気口が音階にしたがって配列されているオルガン部を本体に設け、タイミングチャートをオルガン部の排気口に配置し、タイミングチャートを排気口に摺接させた状態で移動させるという構成を有する。従って、従来のストリートオルガンのようにオルガン部の排気口を開閉する弁機構などが不必要であり、作動が確実になり、作動音がせず、比較的安価に半自動演奏が可能なオルガンを実現することができる。
【０００７】
また、本発明における発音部は、呼気を吹き込む吹き込み口と、呼気を排出する排出口との間にあり、呼気によって送風するものであるから吹奏技術によってコントロールすることができることを特徴とする。吹奏式であると言うことに
は、ふいごのように足を使う必要がないため携帯性の実現のために大きく貢献する。
【０００８】
オルガン部としては、吹き込み口から吹き込んだ気流を一旦空気箱に貯溜するとともに、貯溜されているエアの一部をリード等の発音部へ送り、排気口から排出する構造を有することが、発音の安定性を得るためにも好都合である。このようなオルガン部は新たに設計、製作しても良いが、同趣旨のオルガン部を有するものに吹奏式鍵盤楽器があるので、その主要部を借用し、本発明のオルガン部を構成することができる。
【０００９】
タイミングチャートは、オルガン部の排気口に適合した位置に穿孔され、送り方向に時間軸を持ち幅方向に音階を持ち、音階にしたがって配列されている音穴を有する。このようなタイミングチャートは、オルガン部の排気口に摺接しながら移動させられる消耗品であるが、これをいわゆる普通紙に電子複写機等の簡易印刷手段で印刷し、カッターやパンチャーなどの簡単な器具を用いて穿孔したものを使用することができる。
【００１０】
タイミングチャートの送りのために、それを巻き付けた巻きロールと、それを巻き取る巻き取りロールとを設け、両ロールの間にオルガン部の排気口を配置する構成を取ることができる。巻きロールから巻き取りロールへ送られるタイミングチャートに対して、オルガン部の端部の排気口を押し付けるように配置することにより張力に応じた摺接圧力が得られる。呼気漏れがなく、摺接音が生じないようにこの接触圧力を適当に調節する。
【００１１】
【発明の実施の形態】
本発明の実施の形態について以下説明する。図１において１１は本体、１２は巻きロール軸孔、１３は巻き取りロール軸孔で、本体１１に所要の間隔をおいて設けられている。巻きロール１４は巻きロール軸孔部に支軸１５及び回転軸１６を用いて取り付けられ、回転軸１６に設けられているクランクハンドル１７の操作によって回転可能に設けられている。１８は付勢手段のばねであり、巻きロール１４を定位置方向に押して位置決めをする。
【００１２】
巻き取りロール１９は巻き取りロール軸孔部に支軸２１及び回転軸２２を用いて取り付けられ、回転軸２２には減速機構２３の大径ギヤが取り付けられ、それと噛み合う小径ギヤを取り付けた回転軸２４に設けられているクランクハンドル２５の操作によって回転可能に設けられている。図２参照。減速機構２３は取り付け板２６により本体１１の一側に設けられている。巻きロール１４、クランクハンドル１７、巻き取りロール１９及びクランクハンドル２５はタイミングチャート送り手段を構成する。
【００１３】
オルガン部２７は、上記の巻きロール１４と巻き取りロール１９との間に用意されているオルガン部取り付け部２８にセットされる。図３参照。２９はオルガン部側の係合部で本体側のオルガン部取り付け部２８に係合し、オルガン部２７に接する定位置での固定を可能にする。本例のものは発音部としてリードを使用している。
【００１４】
オルガン部２７は、図４に示すように、一端の吹き込み口３１から吹き込まれる呼気を溜める空気箱３２を有し、空気箱内部は開口３１に近い方で短かく、離れた方で長い、多数のリード３３の形質に適合させた内容量を持っている。３４はリードプレートを示しており、図４で下が開いた空気箱３２の下位に重ねら
れ、さらにその下位に共鳴箱３５が重ねて一体化される。共鳴箱３５は、リード３３の数と一致する共鳴室３６を有し、夫々の端部には排気口３７が設けられている。
【００１５】
排気口３７を有する端部３８は外方へ突出して設けられており、かつ、後述するタイミングチャート４１との接触抵抗を減少させるために滑らかに整形されている。なお、上記整形された端部３８へタイミングチャート４１を誘導する経路でタイミングチャート４１と接触する可能性がある箇所３９については、接触しないか、仮に接触しても摺接音を生じたり損傷の原因を作らないように外形を整形する。図５参照。
【００１６】
タイミングチャート４１はロールペーパー状とされ、いわゆる普通紙コピー機などと称される電子複写機等に使用される普通紙に楽譜に応じた音穴４２が穿孔されているものを使用する。このようなタイミングチャート４１でも、１００回以上の使用に堪えるが、音穴パターンが簡単にコピー可能であるとともに、カッターなどの工具４３を用いて穿孔可能であることにより、滅失の心配なく使用することができる。図６参照。また、予め音階が分かるように穿孔位置を印刷したチャート紙を使用し使用者が自由に穿孔することにより、演奏品目を自作することも自由に行える。
【００１７】
このような構成を有する本発明の吹奏式ストリートオルガン１０では、タイミングチャート４１の曲目の始めの方を巻き取りロール１９に固定し、オルガン部２７の排気口３７に接するように配置したのち、巻きロール１４にタイミングチャート４１の曲目の終わりの方を固定する。さらにオルガン部２７の吹き込み口３１に蛇腹管状の吹き込みパイプ４４を差し込み、パイプ端の歌口４５から呼気を吹き込む。呼気は空気箱３２から、音穴４２と重なり排気口３７が開いている箇所を通って外へ排気されるので、その位置のリード３３を振動させ、音を発する。かくして巻き取りハンドル２５を操作しタイミングチャート４１を送って行くと、楽譜にじた音が出るので、演奏が可能になるものである。
【００１８】
【発明の効果】
本発明は以上の如く構成されかつ作用するものであるから、呼気によって音を作り出すことができる新規な吹奏式ストリートオルガンを提供することができるという顕著な効果を奏する。特に本発明の吹奏式ストリートオルガンは、吹奏によって音が出せるので演奏表現が可能になる点で、従来のストリートオルガンにはない特徴を発揮し、また足の動きを必要としないので立奏や行進も可能であ
り、タイミングチャートの交換が自由である等、非常に顕著な効果を奏する。
【図面の簡単な説明】
【図１】本発明に係る吹奏式オルガンの本体に巻きロールを取り付けた状態を示す分解斜視図。
【図２】図１に巻き取りロールを取り付けた状態を示す分解斜視図。
【図３】さらにオルガン部を取り付けた状態を示す分解斜視図。
【図４】オルガン部の１例を示す分解斜視図。
【図５】タイミングチャートの経路を示す横断面図。
【図６】タイミングチャートの作製を示す斜視図。
【図７】本発明に係る吹奏式オルガンの１例を示す全体斜視図。
【符号の説明】
１０  吹奏式ストリートオルガン
１１  本体
１４  巻きロール
１９  巻き取りロール
２７  オルガン部
３１  吹き込み口
３７  排気口
３８  端部
４１  タイミングチャート
４２  音穴
４５  歌口
【図１】
2004191420.tif 000003
【図２】
2004191420.tif 000004
【図３】
2004191420.tif 000005
【図４】
2004191420.tif 000006
【図５】
2004191420.tif 000007
【図６】
2004191420.tif 000008
【図７】
2004191420.tif 000009